(57)【要約】 【課題】  一つの錠箱内に用心錠と本締錠とを合理的に組み込むこと。【解決手段】  駆動部材のガードボルト係合部に押し出されかつガードアームに係合するガードボルトを有するスライド板、一方、駆動部材のデッドボルト係合部に押し出されかつストライクに係合するデッドボルト、錠箱に軸支されかつデッドボルトの前進に伴って回動すると共に前記ストライクに掛止するカマデッド、デッドボルトを常時後退方向へ付勢する付勢手段を備えた建具用施錠装置に於いて、付勢手段は、デッドボルトの被係合部に係合部が係合するようにデッドボルトを基準として一方側に配設された駆動部材と他方側に配設されたデッドボルト用係止部材の間に軸支されていること。【選択図】  図４
2005350974.tif 000002
【特許請求の範囲】
【請求項１】
駆動部材のガードボルト係合部に押し出されかつガードアームに係合するガードボルトを有するスライド板、一方、駆動部材のデッドボルト係合部に押し出されかつストライクに係合するデッドボルト、錠箱に軸支されかつデッドボルトの前進に伴って回動すると共に前記ストライクに掛止するカマデッド、デッドボルトを常時後退方向へ付勢する付勢手段を備えた建具用施錠装置に於いて、前記付勢手段３１は、デッドボルト２１の被係合部４６に係合部が係合するようにデッドボルト２１を基準として一方側に配設された前記駆動部材１と他方側に配設されたデッドボルト２１用係止部材４１の間に軸支されていることを特徴とする建具用施錠装置。
【請求項２】
請求項１に於いて、付勢手段３１は、軍手を装着した形状の係合片３２と付勢バネ３３とで構成され、また、係止部材４１は、本締時、前記係合片３２がデッドボルトの係合ピン４６の駆動力により回転することによりロック方向へ回転し、一方、解錠時、駆動部材１の回転途中時に於いて、デッドボルト係合部に押し戻されるように係合可能であることを特徴とする建具用施錠装置。
【請求項３】
請求項１又は請求項２に於いて、軍手形状の係合片３２の手首部は、係止部材４１の上壁面に乗っかるように駆動部材１から離間していることを特徴とする建具用施錠装置。
【請求項４】
請求項１に於いて、デッドボルト２１の先端部側を下向きＵ字状に形成すると共に、カマデッド２６は、先端部が下向きに回動するように錠箱ａに軸支されていることを特徴とする建具用施錠装置。
【発明の詳細な説明】
【技術分野】
【０００１】
本発明は、発明は、用心錠と本締錠とを備えた建具用施錠装置に関する。
【背景技術】
【０００２】
普通一般に、用心錠と本締錠とを備えた建具用施錠装置は、操作部材の操作力より回動する駆動部材と、ガードボルトを有するスライド板と、ガードボルトとは別個のデッドボルトとを備え、後者のデッドボルトに鎌片が連動するように加味されている。
このような背景技術に於いて、出願人は、用心錠と本締錠とを一つの錠箱内にコンパクト化し、操作性、施錠信頼性を向上させることが可能な技術を提案した。特許文献１がそれである。
【０００３】
この特許文献１には、「扉側の錠箱ａに、（ａ）シリンダ錠に対する合鍵、サムターンの摘み等の操作部材の操作力より回動する駆動部材１と、（ｂ）該駆動部材に親指状に形成されたガードボルト係合部に押し出され、かつ、先端部側にフロントの窓孔から突出するガードボルトを有するスライド板１１と、（ｃ）このスライド板が前進して前記ガードボルトが扉枠側のガードアームｃに係合した後に前記駆動部材に腕状に形成されたデッドボルト係合部に押し出され、かつ、扉枠側のストライクｂに係合するデッドボルト２１と、（ｄ）錠箱ａに軸支され、かつ、連係手段を介して該デッドボルトの前進に伴って回動すると共に前記ストライクｂに掛止するカマデッド２６と、（ｅ）一端部が錠箱ａに軸支され、かつ、他端部はデッドボルトに設けた係合部に係合すると共に、付勢バネのバネ力を利用して該デッドボルトを常時後退方向へ付勢する付勢手段３１とを備えた建具用施錠装置」が開示されている。
【０００４】
本発明は、この特許文献１の構成を前提するものであるから、まず、図1〜図３を参照にして従来の実施例を説明し、該実施例の問題点を指摘した後に、該実施例と同一の構成の部分を援用し（重複説明を回避し）、かつ、該従来例と主に異なる点（構成・作用）について説明する。なお、当業者にとって周知或いは慣用の事項については、詳細な説明や符号を割愛し、本発明の特定要件に関連する前記（ａ）〜（ｅ）の構成に絞って説明をする。
【０００５】
（ａ）駆動部材１
駆動部材１は、通称、「ダルマ」と称されている部材である。ダルマは、錠箱ａに嵌合孔を有する軸受け部材を介して回動自在に組み込まれ、ドラム形状の軸部と、この軸部から半径外方向に向かって延びる単数又は複数の駆動腕を有する。その意味で、デッドボルトを進退動させる駆動部材である。この駆動部材１は、シリンダ錠に対する合鍵、サムターン摘み、ハンドル等の操作部材の操作力より回動する。本発明は、前述したように、特許文献１に記載の一実施例の構成を援用するので、極力、同一の用語を使用する。
【０００６】
しかして、２はドラム形状の軸部で、該軸部２は、錠箱ａの軸受け部材に嵌合する。３は軸部２から半径方向外側へ親指状に突出するガードボルト係合部で、該ガードボルト係合部３は、スライド板の中央部に形成された曲面部に当接可能である。４はデッドボルト係合部で、該デッドボルト係合部４は、図１の垂直軸Ｙを基準にすると、ガードボルト係合部３の先端部の位置に対して右下４時方向（略４５度の間隔）に腕状に延びている。このデッドボルト係合部４は、デッドボルトの前後の凸部に当接可能である。
【０００７】
その他、駆動部材１には、バネの一端部が圧接する山形状の突起５、図１の軸部２ないしデッドボルト係合部４を通る斜め軸線Ｏを基準にすると、前記山形状突起５から右方向へ鉤状に延び、かつ、ストッパーピンに当接可能なピン係合部６がそれぞれ形成されている。
【０００８】
上記構成の駆動部材１は、施錠時、操作部材の操作力より所定量回動すると、まず、ガードボルト係合部３がスライド板の曲面部に当接し、引き続いて駆動部材１がさらに所定量回動すると、今度はデッドボルト係合部４がデッドボルトの前側の凸部に当接する。
【０００９】
したがって、駆動部材１の駆動力により、少なくともガードボルト及びデッドボルトの両方の部材が進出する。この時、デッドボルトは、図２で示すように、駆動部材１の前記デッドボルト係合部４の先端面が前記前側凸部の傾斜面に当接するから、突出したデッドボルト２１は、本締状態の時、いわば「一本の親指」で押さえ付けられている格好となる。
【００１０】
しかしながら、この実施例では、前述したようにデッドボルトの前進に伴ってカマデッドもストライクｂに掛止する上向き方向へ回動するから、デッドボルトに対する押さえ込みを十分にするか、又は、デッドボルトが容易に後退しないように、デッドボルトに対する係止力を十分にする必要がある。であるから、（あ）本締状態の時、デッドボルト２１に対する押さえ込み力或いは係止力の強度化が要望されている。
【００１１】
（ｂ）スライド板１１
スライド板１１は、全体としてＬ型或いは鉤型状に形成され、幅広先端部の上位にフロントの窓孔から突出可能なガードボルト１２を有している。スライド板１１は、水平長孔、支持ピン等の複数個の案内手段１３を介して水平方向にスライド可能である。
【００１２】
しかして、１４は、前述したようにガードボルト係合部３が当接する傾斜状の曲面部、１５は該曲面部から落ち込むように形成された凹面部、１６は該凹面部に連設し、かつ、ガードボルト係合部３の後端面が当接可能な段差状突起部である。設計如何によっては、該段差状突起部１６にデッドボルト係合部４の一部を当接させることも可能である。
【００１３】
上記構成のスライド板１１は、施錠時、操作部材の操作力により駆動部材１が所定量回動（例えば４５度）すると、まず、ガードボルト係合部３がスライド板の曲面部に当接するので、案内手段１３に案内されながら前進する。そうすると、図２で示すように、ガードボルト１２は窓孔から突出してガードアームｃの係合孔に係合すると同時に、スライド板１１は、容易に後退しないように駆動部材１のガードボルト係合部３に維持される。
【００１４】
（ｃ）デッドボルト２１
デッドボルト２１は、少なくとも先端部側が端面Ｕ字型の空洞である。この実施例のデッドボルト２１は、スライド板１１が前進してガードボルト１２が扉枠側のガードアームｃに係合した後に、駆動部材の腕状デッドボルト係合部４が当接する凸部２２を有している。
【００１５】
また、デッドボルト２１は、他の部材との関係で、例えば先端部側にカマデッド用の第１係合ピン２３と、付勢手段と係合する第２係合ピン２４とを有する。案内手段等の構成は、普通一般のデッドボルトと同一である。
【００１６】
上記構成のデッドボルト２１は、前述したように、本施錠時、まず、スライド板１１が前進した後に、引き続いて駆動部材１がさらに所定量回動すると、デッドボルト係合部４がデッドボルトの前側凸部２２に当接するので、駆動部材１の駆動力により錠箱ａの窓孔から突出する。
【００１７】
（ｄ）カマデッド２６
カマデッド２６は、一端部が固定軸を介して錠箱ａに軸支され、かつ、連係手段を介して該デッドボルトの前進に伴って回動してストライクｂに掛止する。しかして、前記連係手段は、カマデッド２６に形成された案内長孔２７と、該案内長孔２７に係合するデッドボルト２１の第１係合ピン２３とで構成されている。
【００１８】
ところで、上記構成のカマデッド２６は、デッドボルト２１の前進に伴ってストライクｂに掛止する際、固定軸を支点に上向き方向へ回動し、本施錠時、図３で示すように、デッドボルト２１の先端部側の底壁内面２１ａとカマデッド２６との外壁面２６ａとの間に空洞部分の下部間隙２９が発生する。当然のことながら、カマデッド２６が揺動するためには間隙２９が必要である。
【００１９】
しかしながら、本施錠時、カマデッド２６の外壁面２６ａとデッドボルト２１の底壁内面２１ａとの間に下部間隙２９が発生すると、北国のような寒い所では、凍結現象により、カマデッド２６が容易に動かなくなるという問題がある。であるから、（い）本締状態の時、凍結現象により、カマデッド２６が動かなくなるというような事態を回避できる工夫が要望されている。
【００２０】
（ｅ）付勢手段３１
付勢手段３１は、錠箱ａの下部の中心部に配設され、係合片３２と付勢バネ３３とで構成されている。係合片３２は、その下端部が錠箱ａに軸支され、一方、上端部は、デッドボルト２１の第２係合ピン２４と係合する。一方、付勢バネ３３は、係合片３２の下端部を軸支する横軸に中央部が巻装され、該係合片３２を介してデッドボルト２１を常時後退する方向へと付勢する。
【００２１】
ところで、この付勢手段３１は、デッドボルト２１用の付勢機能を有するものの、その他の機能（例えば、駆動部材との連係機能、係止部材のロック状態を解除させる機能など）を有しない。そこで、（う）付勢手段３１を錠箱ａの限られた内部空間に合理的に配設し、かつ、係止部材のロック状態を解除させる機能を付与することが望まれる。
【００２２】
なお、特許文献２には、「扉の中央部の錠箱に、サムターン或いはシリンダと称される複数個の駆動部材と、これらの駆動部材のいずれか一つの駆動力によって上下動するスライド板と、このスライド板の傾斜状案内溝に係合する係合ピンを介してフロントから突出し、かつ、戸枠側のガードアームに係合するデッドボルト（ガードボルトに相当する部材）と、施錠時、該デッドボルトを係止する係止部材とを備えた扉錠本体と、扉の上部及び下部に設けられた他の錠箱に、前記スライド板の上下動に連動して進退動することができるように連係手段を介して組み込まれたデッドボルトと、このデッドボルトの突出に伴いストライクに掛合するように錠箱に軸支された鎌片とを備えた補助錠との組み合わせから成る建具用施錠装置」が開示されている。
【００２３】
この特許文献２に記載の発明は、ガードボルトを有する用心錠とデッドボルト及び鎌片とを有する補助錠とを、扉の中央部と上下端部にそれぞれ別個独立に設け、補助錠のデッドボルトの進退動を用心錠側のスライド板の駆動力に連動させるから、構成する部品点数が非常に多いという問題点がある。この種の錠前では、部品点数の削減、価格等の観点から、錠箱内に錠機構を構成する複数個の部材を合理的に組み込むことが期待されている。
【特許文献１】特許特開２０００−２９１３０３号公報
【特許文献２】特許公開２００１−２２７２１３号公報
【発明の開示】
【発明が解決しようとする課題】
【００２４】
本発明の第１の目的は、一つの錠箱内に用心錠と本締錠とを合理的に組み込むことである。第２の目的は、本締時、デッドボルトを、駆動部材及び係止部材の２つ部材により後退しないように上下の二箇所でそれぞれ係止し、デッドボルトに対する押さえ込み（或いは後退阻止力）の強度を増すことである。第３の目的は、従属的ではあるが、カマデッドの回動に支障がないように、凍結現象が発生する事態を回避するができることである。
【課題を解決するための手段】
【００２５】
本発明の建具用施錠装置は、駆動部材１のガードボルト係合部に押し出されかつガードアームに係合するガードボルトを有するスライド板１１、一方、駆動部材のデッドボルト係合部に押し出されかつストライクｂに係合するデッドボルト２１、錠箱ａに軸支されかつデッドボルトの前進に伴って回動すると共に前記ストライクｂに掛止するカマデッド２６、デッドボルトを常時後退方向へ付勢する付勢手段３１を備えた建具用施錠装置に於いて、前記付勢手段３１は、デッドボルト２１の被係合部４６に係合部が係合するようにデッドボルト２１を基準として一方側に配設された前記駆動部材１と他方側に配設されたデッドボルト２１用係止部材４１の間に軸支されていることを特徴とする。
【発明の効果】
【００２６】
（１）、部品点数の削減、価格等の観点から、錠箱内に錠機構を構成する各部材を合理的に組み込むことができる。特に、本発明の付勢手段３１は、デッドボルト２１の係合ピン４６に係合部が係合するようにデッドボルト２１を基準として一方側に配設された前記駆動部材１と他方側に配設されたデッドボルト２１用係止部材４１の間に軸支されているので、錠箱の内部空間を有効的に活用することができる。
（２）本締時、デッドボルト２１を、駆動部材１及び係止部材４１の２つ部材により後退しないように上下の二箇所でそれぞれ係止し、デッドボルトに対する押さえ込み（或いは後退阻止力）の強度を増すことができる。
（３）カマデッドの回動に支障がないように、凍結現象が発生する事態を回避するができる。
【発明を実施するための最良の形態】
【００２７】
図４乃至至図９に示す本発明を実施するための最良の形態により説明する。なお、本発明の一実施例を説明するに当たって、錠箱ａ、ストライクｂ、ガードアームｃ、固着手段等の細部的事項の説明は割愛する。また、上述した実施例と同一構成の部分には、同一の符号を付して重複する説明を省略する。
【００２８】
本発明の実施例に於いて、従来の実施例と主に異なる点は（１）〜（３）である。
【００２９】
（１）まず、本締状態の時、デッドボルト２１をロック状態に係止する係止部材４１を、錠箱ａの右下隅部の支軸４２に軸支したことである。錠箱ａに横設軸架された支軸４２には、長板枠状の係止部材４１を係止方向へ常時付勢するバネ４３が設けられている。この係止部材４１は、特に図示しないが、端面或いは断面下向き凹所状に形成され、また、前記係止部材４１用のバネ４３の一端部は、係止部材４１の内壁面に圧接し、一方、他端部は、錠箱ａの底壁内面に圧接している。そして、係止部材４１の先端部は、図５で示すように、デッドボルト２１の中央部の下辺に形成した段差状の切欠端面４０に係脱可能である。
【００３０】
（２）次に、本締状態の時、従来の実施例のように、カマデッド２６の外壁面２６ａとデッドボルト２１の底壁内面２１ａとの間に下部間隙２９が発生しないように工夫したことである。そのために、デッドボルト２１の底壁内面２１ａが上方に位置するように、デッドボルト２１の先端部側を下向きＵ字状に形成すると共に、カマデッド２６の先端部が下向きに回動するように該カマデッド２６の一端部を軸支する固定軸４４を、デッドボルト２１の先端部側の下方に位置付けして錠箱ａに横設軸架したことである。したがって、前記底壁内面２１ａは、本実施例では、上壁内面２１ａに相当し、カマデッド２６の外壁面２６ａとデッドボルト２１の上壁内面２１ａとの間に上部間隙２９が発生している（図６、図８を参照）。
【００３１】
（３）次に、錠箱ａの限られた内部空間を有効的に活用することを前提にし、解錠時、付勢手段３１に係止部材４１のロック状態を解除させる機能を加味させたことである。そのために、図４又は図５を基準にすると、外観上、右手に軍手を装着した形状に形成した係合片３２の一端部３２ａが、前記係止部材４１とデッドボルト２１の後端部との空間部分に位置するように錠箱ａに横設軸架した軸４５に該一端部３２ａを軸支すると共に、指先状の他端部３２ｂを、デッドボルト２１の後端部に設けた被係合部（係合ピン）４６に把持状態に係合させている。
【００３２】
そして、該係合片３２を付勢する付勢バネ３３も、係止部材４１とデッドボルト２１の後端部との空間部分に位置するように、その中央部を軸４５に巻装し、一端部を係止部材４１の手首部分に相当するバネ受け部に当接させると共に、他端部を錠箱ａの隅部に突起状に設けたバネ受け片４７に圧接させている（図５参照）。
【００３３】
さらに敷衍すると、本実施例の付勢手段３１は、駆動部材１に対して別個の離れた部材であり、デッドボルト２１を基準にすると、駆動部材１は一方側（例えば上方）に配設されているのに対して、側付勢手段３１は他方側（例えば下方）に配設されている。しかも、付勢手段３１は軍手形状の係合片３２と付勢バネ３３とで構成され、軍手形状の係合片３２の手首部は、前記係止部材４１の上壁面に乗っかるように駆動部材１から離間し、かつ、駆動部材１が解錠方向へ回転する途中に押し戻されるように係合可能である。
【００３４】
さて、図５乃至図７は、本締状態の時における係止部材４１の係止状態（図５）と、カマデッド２６の掛止状態（図６）と、ガードボルト１２の係合状態（図７）をそれぞれ示す。
【００３５】
まず、図５から明らかなように、本締の時、デッドボルト２１の前進に伴い係合ピン４６は矢印Ａ方向に水平移行するから、係合片３２は、係合ピン４６の駆動力により付勢バネ３３のバネ力に抗して矢印Ｂ方向（反時計方向）へ所定量回転する。係合片３２が矢印Ｂ方向へ回転すると、係合片３２の手首部分（バネ受け部）３２ｃは傾倒状態になるから、係止部材４１は、バネ４３のバネ力により、その先端部側より支軸４２を支点にして矢印で示すように浮き上がり、デッドボルト２１の切欠端面４０に係合する。
【００３６】
この時デッドボルト２１は、従来の実施例と同様に、その凸部２２が駆動部材１のデッドボルト係合部４で押さえ付けられている。したがって、本実施例では、本締時、デッドボルト２１は、駆動部材１及び係止部材４１の２つ部材により後退しないように上下の二箇所で押さえ付けられた格好となり、デッドボルト２１に対する押さえ込み（或いは後退阻止力）の強度が増す。
【００３７】
次に、図６で示すように、カマデッド２６は、フロント側の固定軸４４を支点に矢印Ｂ方向（反時計方向）へ所定量回転し、ストライクｂの係合窓の下縁部側に掛合する。この時、カマデッド２６は、連係手段（案内長孔２７と第１係合ピン２３）を介して下向き方向に回動する。その結果、図８で示すように、デッドボルト２１の上壁内面２１ａとカマデッド２６の外壁面２６ａとの間に上部間隙２９が発生する。この上部間隙２９に水滴が溜まり、その結果、寒冷地に於いて、カマデッド２６の回動に支障がないように凍結現象が発生する事態を回避するができる。
【００３８】
次に、図７で示すように、ガードボルト１２はガードアームｃの環状先端部に係合する。したがって、扉を、例えば図７の向こう側に開くと、ガードボルト１２はその基端部が扉枠側に軸支されているから、規制範囲まで回転し、ガードロックの機能を発揮する。
【００３９】
最後に、図９は、例えば係止部材４１のロックが解除される場合を示している。建具用施錠装置Ｘは、施錠時、従来の実施例と同様に、施錠時、図示しない操作部材の操作力より所定量回動すると、まず、ガードボルト係合部３がスライド板１１の曲面部１４に当接し、引き続いて駆動部材１がさらに所定量回動すると、今度はデッドボルト係合部４がデッドボルト２１の前側凸部２２に当接し、操作部材の一度の操作により（駆動部材１の駆動力）により、少なくともガードボルト及びデッドボルトの両方の部材が進出する。
【００４０】
一方、解錠時、図９で示すように、駆動部材１は逆方向に回転するから、逆の作動態様となる訳であるが、本実施例では、解錠時、駆動部材１が反時計方向へ回転すると、その回転途中に於いて、デッドボルト係合部４が係合片３２の他端部３２ｂに当接し、係合片３２は矢印Ｃ方向へ回転する。その結果、係止部材４１は、係合片３２の手首部分（バネ受け部）３２ｃの縁部で押し込まれ、バネ４３のバネ力に抗してロック解除の方向へと回転する。
【実施例】
【００４１】
発明の実施の形態で示した実施例に於いて、横長のスライド板の水平移動に伴い作動するクリック手段（例えばメガネばね、クリックボール、クリックバネなど）をスライド板ないし錠箱内に適宜に配設しても良い。
【００４２】
本実施例では、特に図示しないが、クリック手段の一例としてメガネばねを採用し、スライド板の中央部及び錠箱に内設した支持ピンに両端部をそれぞれ取り付けている。また、駆動部材１の一例として「ダルマ」を図示しているが、該駆動部材１は、スライド板を移動させる部材であれば良いから、「ダルマ」を別個に設け、該ダルマの歯車と噛合する回転体であっても良い。さらに、回転体或いはダルマを押え付けるバネ部材等公知の事項を任意に加味することができる。
【産業上の利用可能性】
【００４３】
本発明は、主に建具や錠前の業界で利用される。
【図面の簡単な説明】
【００４４】
図１乃至図３は、従来の一実施例を示す各説明図であり、本発明はこの実施例の構成を援用する。図４乃至図９は本発明の最良の実施例を示す各説明図。
【図１】本発明が援用する従来の一実施例を示す概略説明図。なお、本発明に関連する主たる部材をピックアップして示している。
【図２】本施錠（本締）時の状態を示す概略説明図。
【図３】扉の開放端部側から見た説明図。
【図４】本発明の一実施例を示す概略説明図。なお、公知の駆動部材１とスライド板１１をピックアップして示している。
【図５】本締時における係止部材４１の係止状態を示す説明図。
【図６】本締時におけるカマデッド２６の掛止状態を示す説明図。
【図７】本締時におけるガードボルト１２の係合状態を示す説明図。
【図８】扉の開放端部側から見た説明図。
【図９】図５に於いて、解錠途中の説明図。
【符号の説明】
【００４５】
Ｘ…建具用施錠装置、1…駆動部材、３…ガードボルト係合部、４…デッドボルト係合部、１１…スライド板、１２…ガードボルト、１４…曲面部、１５…凹面部、２１…デッドボルト、２２…凸部、２３…、２４…、２５…、２６…カマデッド、２６ａ…外壁面、２９…間隙、３１…付勢手段、３２…係合片、３２ａ…一端部、３２ｂ…他端部、３２ｃ…手首部分（バネ受け部）、３３…付勢バネ、４０…係合部（切欠端面）、４１…係止部材、４２…支軸、４３…バネ、４４…固定軸、４６…被係合部（係合ピン）、４７バネ受け片、Ａ、Ｂ、Ｃ…矢印、ａ…錠箱、ｂ…ストライク、ｃ…ガードアーム。
【図１】
2005350974.tif 000003
【図２】
2005350974.tif 000004
【図３】
2005350974.tif 000005
【図４】
2005350974.tif 000006
【図５】
2005350974.tif 000007
【図６】
2005350974.tif 000008
【図７】
2005350974.tif 000009
【図８】
2005350974.tif 000010
【図９】
2005350974.tif 000011